(57)【要約】【課題】パケット専用通信に対応した移動機が海外の移動体通信網にローミングアウトした場合でも継続して、ショートメッセージの受信を可能にすることができるショートメッセージ制御装置、ショートメッセージ制御システム、及びショートメッセージ制御方法を提供する。【解決手段】携帯端末ＭＳが在圏する移動体通信網が、ＰＳ−ＮＷを採用する国内ＮＷから、海外ＮＷに変更されたか否かを判定する判定部１１と、携帯端末ＭＳが在圏する移動体通信網が海外ＮＷに変更されたと判定部１１によって判定された場合に、海外ＮＷが採用するＣＳ−ＮＷを用いてショートメッセージを携帯端末ＭＳに受信させるのに必要な加入者プロファイル情報を、海外ＮＷにおいてショートメッセージを携帯端末ＭＳに中継して受信させるＭＳＣ４０に送信する送信部１２と、を備える。【選択図】図２
2010154033.tif 000002
【特許請求の範囲】
【請求項１】
第一の通信方式を用いてショートメッセージを受信することが可能な移動機に当該ショートメッセージを受信させる制御を行うショートメッセージ制御装置であって、
前記移動機が在圏する移動体通信網が、前記第一の通信方式を採用する第一の移動体通信網から、第二の移動体通信網に変更されたか否かを判定する判定手段と、
前記移動機が在圏する移動体通信網が前記第二の移動体通信網に変更されたと前記判定手段によって判定された場合に、当該第二の移動体通信網が採用する第二の通信方式を用いて前記ショートメッセージを当該移動機に受信させるのに必要な受信情報を、当該第二の移動体通信網において当該ショートメッセージを当該移動機に中継して受信させる中継装置に送信する送信手段と、
を備えることを特徴とするショートメッセージ制御装置。
【請求項２】
ショートメッセージの送信制御を行うショートメッセージ制御システムであって、
第一の通信方式を用いて前記ショートメッセージを受信することが可能な移動機と、
前記移動機に前記ショートメッセージを受信させる制御を行うショートメッセージ制御装置と、を備え、
前記ショートメッセージ制御装置は、
前記移動機が在圏する移動体通信網が、前記第一の通信方式を採用する第一の移動体通信網から、第二の移動体通信網に変更されたか否かを判定する判定手段と、
前記移動機が在圏する移動体通信網が前記第二の移動体通信網に変更されたと前記判定手段によって判定された場合に、当該第二の移動体通信網が採用する第二の通信方式を用いて前記ショートメッセージを当該移動機に受信させるのに必要な受信情報を、当該第二の移動体通信網において当該ショートメッセージを当該移動機に中継して受信させる中継装置に送信する送信手段と、
を有することを特徴とするショートメッセージ制御システム。
【請求項３】
第一の通信方式を用いてショートメッセージを受信することが可能な移動機に当該ショートメッセージを受信させる制御を行うショートメッセージ制御装置を用いて行われるショートメッセージ制御方法であって、
前記移動機が在圏する移動体通信網が、前記第一の通信方式を採用する第一の移動体通信網から、第二の移動体通信網に変更されたか否かを前記ショートメッセージ制御装置が判定する判定ステップと、
前記移動機が在圏する移動体通信網が前記第二の移動体通信網に変更されたと前記判定手段によって判定された場合に、当該第二の移動体通信網が採用する第二の通信方式を用いて前記ショートメッセージを当該移動機に受信させるのに必要な受信情報を、当該第二の移動体通信網において当該ショートメッセージを当該移動機に中継して受信させる中継装置に前記ショートメッセージ制御装置が送信する送信ステップと、
を有することを特徴とするショートメッセージ制御方法。
【発明の詳細な説明】
【技術分野】
【０００１】
本発明は、移動機にショートメッセージを受信させる制御を行うショートメッセージ制御装置及びショートメッセージ制御方法と、ショートメッセージの送信制御を行うショートメッセージ制御システムとに関する。
【背景技術】
【０００２】
従来、非互換性ネットワーク間でのショートメッセージの通信技術が検討されている。例えば、下記の特許文献１には、ホームネットワーク及び外部ネットワークにある端末及びその一方から他方へのローミング中の端末とやり取りするための様々なシナリオの通信を行うショートメッセージゲートウェイが開示されている。非互換性ネットワークの組み合わせとして、例えば、回線交換ネットワーク（以下、ＣＳ−ＮＷ）と、パケット交換ネットワーク（以下、ＰＳ−ＮＷ）との組み合わせが挙げられる。
【特許文献１】特表２００３−５１０９１５号公報
【発明の開示】
【発明が解決しようとする課題】
【０００３】
ＣＳ−ＮＷを用いずＰＳ−ＮＷを用いたパケット通信及びショートメッセージサービス（以下、ＳＭＳ）の移動機による利用を可能にするパケット専用通信が、契約の締結に基づいて設定されて利用されることがある。なお、ＰＳ−ＮＷを用いた通信が可能な範囲内であっても、対応する通信設備が、ＳＭＳによるショートメッセージの受信（以下、ＳＭＳ受信）を可能にする能力を有していない場合は、移動機はＳＭＳ受信を行うことができない。
【０００４】
ここで、このパケット専用通信に対応した移動機が、ＳＭＳ受信を可能にするＰＳ−ＮＷの通信範囲外に出ると、ＳＭＳ受信を行うことができなくなる場合の具体例について、図１を用いて説明する。図１に示すように、まず、パケット専用通信に対応した移動機Ｍが、在圏していた国内のＮＷ（即ち、移動体通信網）から例えば海外のＮＷにローミングアウト（即ち、在圏していた移動体通信網の通信範囲外に出て、他の移動体通信網の通信範囲内に入って在圏すること）したとする。海外ＮＷには、ＣＳ−ＮＷ及びＰＳ−ＮＷが存在しているが、海外ＮＷにおけるＳＭＳは、ＣＳ−ＮＷで普及しているものの、ＰＳ−ＮＷでは普及しておらずＳＭＳ受信を可能にする能力がサポートされていない。
【０００５】
移動機Ｍがローミングアウトする際（図１における段階Ｐ１）、海外ＮＷにおけるＰＳ−ＮＷ通信用の在圏交換機であるＳＧＳＮ（Ｓｅｒｖｉｎｇ  ＧＰＲＳ  Ｓｕｐｐｏｒｔ  Ｎｏｄｅ）が、移動機Ｍの位置登録に関する情報を管理するＨＬＲ（Ｈｏｍｅ  Ｌｏｃａｔｉｏｎ  Ｒｅｇｉｓｔｅｒ）から、ＰＳ−ＮＷ通信用の加入者プロファイル情報をダウンロード受信して取得し、これによってＰＳ−ＮＷ通信用の位置登録が行われて在圏処理が完了する。
【０００６】
ここで、移動機Ｍに対するＳＭＳ着信要求を、国内ＮＷ内の関門交換機であるＧＭＳＣ（Ｇａｔｅｗａｙ  Ｍｏｂｉｌｅ  Ｓｗｉｔｃｈｉｎｇ  Ｃｅｎｔｅｒ）が受信すると（図１における段階Ｐ２）、ＧＭＳＣはＨＬＲに対して着信翻訳情報を要求して翻訳結果をＨＬＲから受信する（図１における段階Ｐ３）。翻訳結果を受信したＧＭＳＣは、海外ＮＷにおけるＣＳ−ＮＷ通信用の回線交換局であるＭＳＣ（Ｍｏｂｉｌｅ  Ｓｗｉｔｃｈｉｎｇ  Ｃｅｎｔｅｒ）経由で、移動機Ｍに対してＳＭＳ受信を許可しようとする（図１における段階Ｐ４）。
【０００７】
しかしながら、移動機Ｍにおいては、海外においてＳＭＳが普及していないＰＳ−ＮＷを用いた通信を行うための位置登録のみが行われて在圏処理が完了しているため、ＳＭＳ受信を行うことができない。このため、パケット専用通信に対応した移動機Ｍが海外ＮＷにローミングアウトすると、ＳＭＳ受信ができなくなってしまう。
【０００８】
そこで、本発明は、上記問題点を解決するためになされたものであり、パケット専用通信に対応した移動機が海外の移動体通信網にローミングアウトした場合でも継続して、ショートメッセージの受信を可能にすることができるショートメッセージ制御装置、ショートメッセージ制御システム、及びショートメッセージ制御方法を提供することを目的とする。
【課題を解決するための手段】
【０００９】
上記目的を達成するために、本発明に係るショートメッセージ制御装置は、第一の通信方式を用いてショートメッセージを受信することが可能な移動機に当該ショートメッセージを受信させる制御を行うショートメッセージ制御装置であって、移動機が在圏する移動体通信網が、第一の通信方式を採用する第一の移動体通信網から、第二の移動体通信網に変更されたか否かを判定する判定手段と、移動機が在圏する移動体通信網が第二の移動体通信網に変更されたと判定手段によって判定された場合に、当該第二の移動体通信網が採用する第二の通信方式を用いてショートメッセージを当該移動機に受信させるのに必要な受信情報を、当該第二の移動体通信網において当該ショートメッセージを当該移動機に中継して受信させる中継装置に送信する送信手段と、を備えることを特徴とする。
【００１０】
本発明に係るショートメッセージ制御装置では、移動機が在圏する移動体通信網が第一の移動体通信網から第二の移動体通信網に変更されたと判定された場合に、上記の受信情報が上記の中継装置に送信される。受信情報を受信した中継装置は、当該第二の移動体通信網において当該ショートメッセージを当該移動機に中継して受信させる。この結果、第一の通信方式としてのパケット専用通信に対応した移動機が海外の移動体通信網にローミングアウトすることによって、移動機が在圏する移動体通信網が第一の移動体通信網から第二の移動体通信網としての海外の移動体通信網に変更されたと判定された場合でも、移動機は継続してショートメッセージを受信することが可能となる。
【００１１】
上記目的を達成するために、本発明に係るショートメッセージ制御システムは、ショートメッセージの送信制御を行うショートメッセージ制御システムであって、第一の通信方式を用いてショートメッセージを受信することが可能な移動機と、移動機にショートメッセージを受信させる制御を行うショートメッセージ制御装置と、を備え、ショートメッセージ制御装置は、移動機が在圏する移動体通信網が、第一の通信方式を採用する第一の移動体通信網から、第二の移動体通信網に変更されたか否かを判定する判定手段と、移動機が在圏する移動体通信網が第二の移動体通信網に変更されたと判定手段によって判定された場合に、当該第二の移動体通信網が採用する第二の通信方式を用いてショートメッセージを当該移動機に受信させるのに必要な受信情報を、当該第二の移動体通信網において当該ショートメッセージを当該移動機に中継して受信させる中継装置に送信する送信手段と、を有することを特徴とする。
【００１２】
本発明に係るショートメッセージ制御システムでは、移動機が在圏する移動体通信網が第一の移動体通信網から第二の移動体通信網に変更されたと判定された場合に、上記の受信情報が上記の中継装置に送信される。受信情報を受信した中継装置は、当該第二の移動体通信網において当該ショートメッセージを当該移動機に中継して受信させる。この結果、第一の通信方式としてのパケット専用通信に対応した移動機が海外の移動体通信網にローミングアウトすることによって、移動機が在圏する移動体通信網が第一の移動体通信網から第二の移動体通信網としての海外の移動体通信網に変更されたと判定された場合でも、移動機は継続してショートメッセージを受信することが可能となる。
【００１３】
上記目的を達成するために、本発明に係るショートメッセージ制御方法は、第一の通信方式を用いてショートメッセージを受信することが可能な移動機に当該ショートメッセージを受信させる制御を行うショートメッセージ制御装置を用いて行われるショートメッセージ制御方法であって、移動機が在圏する移動体通信網が、第一の通信方式を採用する第一の移動体通信網から、第二の移動体通信網に変更されたか否かをショートメッセージ制御装置が判定する判定ステップと、移動機が在圏する移動体通信網が第二の移動体通信網に変更されたと判定手段によって判定された場合に、当該第二の移動体通信網が採用する第二の通信方式を用いてショートメッセージを当該移動機に受信させるのに必要な受信情報を、当該第二の移動体通信網において当該ショートメッセージを当該移動機に中継して受信させる中継装置にショートメッセージ制御装置が送信する送信ステップと、を有することを特徴とする。
【００１４】
本発明に係るショートメッセージ制御方法では、移動機が在圏する移動体通信網が第一の移動体通信網から第二の移動体通信網に変更されたと判定された場合に、上記の受信情報が上記の中継装置に送信される。受信情報を受信した中継装置は、当該第二の移動体通信網において当該ショートメッセージを当該移動機に中継して受信させる。この結果、第一の通信方式としてのパケット専用通信に対応した移動機が海外の移動体通信網にローミングアウトすることによって、移動機が在圏する移動体通信網が第一の移動体通信網から第二の移動体通信網としての海外の移動体通信網に変更されたと判定された場合でも、移動機は継続してショートメッセージを受信することが可能となる。
【発明の効果】
【００１５】
本発明によれば、パケット専用通信に対応した移動機が海外の移動体通信網にローミングアウトした場合でも継続して、ショートメッセージの受信を可能にすることができるショートメッセージ制御装置、ショートメッセージ制御システム、及びショートメッセージ制御方法を提供することができる。
【発明を実施するための最良の形態】
【００１６】
以下、添付図面を参照しながら本発明の好適な実施形態を説明する。なお、図面の説明において同一要素には同一符号を付し、重複する説明を省略する。
【００１７】
（１）ショートメッセージ制御システムの構成
まず、本実施形態であるショートメッセージ制御システムについて、図２を用いて説明する。図２は、ショートメッセージ制御システム１００によって行われるショートメッセージの送信制御の流れを説明するための説明図である。ショートメッセージ制御システム１００は、携帯端末ＭＳ（移動機）と、ＨＬＲ１０（ショートメッセージ制御装置）と、ＧＭＳＣ２０と、ＳＧＳＮ３０と、ＭＳＣ４０と、を含んで構成されている。
【００１８】
ここで、携帯端末ＭＳ、ＨＬＲ１０、ＧＭＳＣ２０、ＳＧＳＮ３０、及びＭＳＣ４０のそれぞれは一基存在するとして説明するが、これらの数は特に限定されない。
【００１９】
携帯端末ＭＳは、例えば携帯電話機やＰＤＡなどといった移動可能な通信端末である。携帯端末ＭＳは、国内のＮＷ（ＮｅｔＷｏｒｋ、即ち、移動体通信網）において、パケット専用通信に対応している。パケット専用通信とは、回線交換ネットワーク（以下、ＣＳ−ＮＷ）を用いずパケット交換ネットワーク（以下、ＰＳ−ＮＷ）を用いたパケット通信及びショートメッセージサービス（以下、ＳＭＳ）の利用を可能にする通信であり、パケット専用プランとしての契約の締結に基づいて利用できるように携帯端末ＭＳに設定される。このため、携帯端末ＭＳは、国内ＮＷにおいてパケット専用通信の通信方式（第一の通信方式）を用いるよう設定されることによって、ショートメッセージを受信することが可能である。国内ＮＷは、海外のＮＷと互いにローミング提携された通信網であり、携帯端末ＭＳは、ローミングのために海外ＮＷに在圏することができる。
【００２０】
ＨＬＲ１０は、国内ＮＷ内に存在し、国内ＮＷにおける携帯端末ＭＳの位置登録に関する加入者プロファイル情報（受信情報）を記憶して管理する通信装置である。ＨＬＲ１０は、記憶された加入者プロファイル情報の書き換えを行ってＳＧＳＮ３０やＭＳＣ４０にダウンロード受信させることにより、携帯端末ＭＳにショートメッセージを受信させる制御を行う。ＨＬＲ１０の物理的構成および機能的構成については、後述する。加入者プロファイル情報には、ベアラサービスの契約に関しては未契約であり、また、テレサービスの契約において、音声契約に関しては未契約であり、ＳＭＭＴ（即ち、着信用）及びＳＭＭＯ（即ち、発信用）に関しては契約締結済みであることが示されている。
【００２１】
ＧＭＳＣ２０は、国内ＮＷ内に存在し、国内ＮＷにおいて携帯端末ＭＳに対するＳＭＳ着信要求信号を受信する関門交換機である。ＧＭＳＣ２０は、このＳＭＳ着信要求信号を受信すると、ＨＬＲ１０に対して着信翻訳を要求する翻訳要求信号を送信して、翻訳結果をＨＬＲ１０から受信する。翻訳結果を受信したＧＭＳＣ２０は、ＭＳＣ４０経由で、移動機Ｍに対してＳＭＳ受信を許可しようとする。
【００２２】
ＳＧＳＮ３０は、海外ＮＷにおけるＰＳ−ＮＷ通信用の在圏交換機であり、ＰＳ−ＮＷを含んで構成されている。ＳＧＳＮ３０は、ＨＬＲ１０から加入者プロファイル情報をダウンロード受信し、この加入者プロファイル情報に基づいて、この海外ＮＷにおけるＰＳ−ＮＷに対する在圏管理を行う。このため、この海外ＮＷにおけるＰＳ−ＮＷは、ＳＧＳＮ３０の管轄下にある。海外ＮＷにおける携帯端末ＭＳは、ＰＳ−ＮＷ通信用のローミング接続をする際、ＳＧＳＮ３０に対して位置登録を完了する必要がある。
【００２３】
ＭＳＣ４０は、海外ＮＷにおけるＣＳ−ＮＷ通信用の回線交換局であり、ＣＳ−ＮＷを含んで構成されている。ＭＳＣ４０は、ＨＬＲ１０から加入者プロファイル情報をダウンロード受信し、この加入者プロファイル情報に基づいて、この海外ＮＷにおけるＣＳ−ＮＷに対する在圏管理を行う。このため、この海外ＮＷにおけるＣＳ−ＮＷは、ＭＳＣ４０の管轄下にあり、ＳＭＳのみの利用が許容されている。より詳しくは、Ｂｅａｒｅｒｓｅｒｖｉｃｅｌｉｓｔに関しては未設定であり、Ｔｅｌｅｓｅｒｖｉｃｅｌｉｓｔの設定において、ＳＭＭＴ（即ち、着信用）及びＳＭＭＯ（即ち、発信用）に関しては設定済みであることが示されている。海外ＮＷにおける携帯端末ＭＳは、ＣＳ−ＮＷ通信用のローミング接続をする際、ＭＳＣ４０に対して位置登録を完了する必要がある。
【００２４】
携帯端末ＭＳがローミングアウトして海外在圏する際（図２における段階Ｐ１０）、ＭＳＣ４０が、ＨＬＲ１０からＣＳ−ＮＷ通信も可能なように書き換えられた加入者プロファイル情報をダウンロード受信して取得し（図２における段階Ｐ１１）、これによって携帯端末ＭＳにおけるＣＳ−ＮＷ通信用の位置登録が行われて在圏処理が完了する（即ち、ＣＳ位置登録処理の完了）。
【００２５】
更に、携帯端末ＭＳが上記したようにローミングアウトする際（図２における段階Ｐ１０）、ＳＧＳＮ３０が、ＨＬＲ１０から上記の加入者プロファイル情報をダウンロード受信して取得し（図２における段階Ｐ１２）、これによって携帯端末ＭＳにおけるＰＳ−ＮＷ通信用の位置登録が行われて在圏処理が完了する（即ち、ＰＳ位置登録処理の完了）。
【００２６】
ここで、携帯端末ＭＳに対するＳＭＳ着信要求信号をＧＭＳＣ２０が受信すると（図２における段階Ｐ２０）、ＧＭＳＣ２０はＨＬＲに対して着信翻訳を要求して翻訳結果をＨＬＲから受信する（図１における段階Ｐ３０）。翻訳結果を受信したＧＭＳＣ２０は、ＭＳＣ４０経由で、移動機Ｍに対してＳＭＳ受信を許可しようとする（図１における段階Ｐ４０）。
【００２７】
このとき、携帯端末ＭＳにおけるＣＳ−ＮＷ通信用の位置登録が行われて在圏処理は完了しているため、携帯端末ＭＳが海外ＮＷにローミングアウトした場合でも継続して、ショートメッセージを受信することが可能となる。
【００２８】
（２）ＨＬＲの構成
次に、本実施形態であるＨＬＲ１０の構成について、図３及び図４を用いて説明する。図３は、ＨＬＲ１０の機能構成を示す構成図であり、図４は、ＨＬＲ１０のハードウェア構成を示す構成図である。図４に示すように、ＨＬＲ１０は、ＣＰＵ（Central Processing Unit）１０１、主記憶装置であるＲＡＭ（Random Access Memory）１０２及びＲＯＭ(Read Only Memory)１０３、通信を行うための通信モジュール１０４、並びにハードディスク等の補助記憶装置１０５等のハードウェアを備えるコンピュータとして構成される。これらの構成要素が動作することにより、ＨＬＲ１０の機能が発揮される。
【００２９】
また、図３に示すように、ＨＬＲ１０は、機能的な構成要素として、判定部１１（判定手段）と、送信部１２（送信手段）と、を有している。判定部１１は、携帯端末ＭＳが在圏する移動体通信網が、パケット専用通信の通信方式を採用する国内ＮＷから、海外ＮＷに変更されたか否かの判定を行う演算部である。また、判定部１１は、携帯端末ＭＳがパケット専用通信に対応しているか否かの判定や、海外ＮＷからの位置登録要求があったか否かの判定や、加入者プロファイル情報の設定はＰＳ−ＮＷ通信用のみであるか否かの判定等を行う。判定する内容に関しては後述する。
【００３０】
送信部１２は、携帯端末ＭＳが在圏する移動体通信網が国内ＮＷから海外ＮＷに変更されたと判定部１１よって判定された場合に、加入者プロファイル情報をＣＳ−ＮＷ通信も可能なように書き換え、この書き換えられた加入者プロファイル情報をＭＳＣ４０に送信する通信部である。ＣＳ−ＮＷ通信も可能なように書き換えられた加入者プロファイル情報は、海外ＮＷが採用するＣＳ−ＮＷを利用した通信の方式（第二の通信方式）を用いてショートメッセージを携帯端末ＭＳに受信させるのに必要な受信情報である。ＭＳＣ４０は、ＣＳ−ＮＷ通信も可能なように書き換えられた加入者プロファイル情報を受信すると、海外ＮＷが採用するＣＳ−ＮＷを用いてショートメッセージを携帯端末ＭＳに中継して受信させる。
【００３１】
（３）ショートメッセージ制御システムで実行される処理
次に、本実施形態に係るショートメッセージ制御システム１００で実行される処理（ショートメッセージ制御方法）について、図５〜図７を用いて説明する。図５は、位置登録処理を説明するシーケンス図であり、図６は、図５の位置登録処理における加入者プロファイル情報の書き換えの有無を決定する処理を説明するフローチャートであり、図７は、位置登録処理の後に行われるＳＭＳ着信処理を説明するシーケンス図である。
【００３２】
（３−１）位置登録処理
まず、図５及び図６を用いて、携帯端末ＭＳがローミングアウトする場合に行われる位置登録処理について説明する。携帯端末ＭＳがローミングアウトする際は、図５に示すように、最初にＣＳ位置登録処理Ｇ１が行われ、次にＰＳ位置登録処理Ｇ２が行われる。
【００３３】
最初に行われるＣＳ位置登録処理Ｇ１では、図５に示すように、まず携帯端末ＭＳが、ＭＳＣ４０に対して、位置登録を要求するための位置登録要求信号を送信する（Ａｔｔａｃｈ  Ｒｅｑｕｅｓｔ。ステップＳ０１）。この位置登録要求信号を受信したＭＳＣ４０は、ＨＬＲ１０に対して、携帯端末ＭＳを認証するのに用いられる認証情報を取得するための認証情報取得信号を送信する（Ｓｅｎｄ  Ａｕｔｈｅｎｔｉｃａｔｉｏｎ  Ｉｎｆｏ。ステップＳ０２）。この認証情報取得信号を受信したＨＬＲ１０は、加入者プロファイル情報の書き換えの有無を決定する処理を行う（ステップＳ０３）。この書き換えの有無の決定の詳細については後述する。
【００３４】
加入者プロファイル情報の書き換えの有無を決定したＨＬＲ１０は、決定した内容に従って書き換え処理を行う（ステップＳ０４）。そして、書き換え処理を行ったＨＬＲ１０は、ＭＳＣ４０に対して、認証情報取得信号の受信応答を示すための認証情報応答信号を送信する（Ｓｅｎｄ  Ａｕｔｈｅｎｔｉｃａｔｉｏｎ  Ｉｎｆｏ．ａｃｋ。ステップＳ０５）。この認証情報応答信号を受信したＭＳＣ４０は、携帯端末ＭＳとともに、認証処理を完了させるための認証・秘匿処理を行う（ステップＳ０６）。
【００３５】
この認証・秘匿処理を行ったＭＳＣ４０は、ＨＬＲ１０に対して、加入者（即ち、携帯端末ＭＳのユーザ）のＣＳ−ＮＷ通信用の位置登録情報の更新を行うためのＣＳ在圏情報を送信する（Ｕｐｄａｔｅ  Ｌｏｃａｔｉｏｎ。ステップＳ０７）。このＣＳ在圏情報を受信したＨＬＲ１０は、ＧＭＳＣ２０に対して、旧在圏の（即ち、過去に用いられていた）加入者プロファイル情報を削除するための削除信号を送信する（ＣａｎｃｅｌＬｏｃａｔｉｏｎ。ステップＳ０８）。この削除信号を受信したＧＭＳＣ２０は、ＨＬＲ１０に対して、削除信号の受信応答を示すための削除応答信号を送信する（ＣａｎｃｅｌＬｏｃａｔｉｏｎ．ａｃｋ。ステップＳ０９）。
【００３６】
この削除応答信号を受信したＨＬＲ１０は、ＭＳＣ４０に対して、ＣＳ−ＮＷ通信も可能なように書き換えられた加入者プロファイル情報をダウンロード受信させるためのダウンロード信号を送信する（ＩｎｓｅｒｔＳｕｂｓｃｒｉｂｅｒＤａｔａ。ステップＳ１０、送信ステップ）。このダウンロード信号を受信したＭＳＣ４０は、ダウンロード受信後、ＨＬＲ１０に対して、ダウンロード信号の受信応答を示すためのダウンロード応答信号を送信する（ＩｎｓｅｒｔＳｕｂｓｃｒｉｂｅｒＤａｔａ．ａｃｋ。ステップＳ１１）。このダウンロード応答信号を受信したＨＬＲ１０は、ＭＳＣ４０に対して、ＣＳ在圏情報の受信応答を示すための位置更新応答信号を送信する（Ｕｐｄａｔｅ  Ｌｏｃａｔｉｏｎ．ａｃｋ。ステップＳ１２）。
【００３７】
この位置更新応答信号を受信したＭＳＣ４０は、携帯端末ＭＳに対して、ＣＳ−ＮＷ通信用の位置登録を許可するための位置登録許可信号を送信する（Ａｔｔａｃｈ  Ａｃｃｅｐｔ。ステップＳ１３）。この位置登録許可信号を携帯端末ＭＳが受信することによって、ＣＳ位置登録処理Ｇ１が完了する。
【００３８】
次に行われるＰＳ位置登録処理Ｇ２では、図５に示すように、最初に携帯端末ＭＳが、ＳＧＳＮ３０に対して、位置登録を要求するための位置登録要求信号を送信する（Ａｔｔａｃｈ  Ｒｅｑｕｅｓｔ。ステップＳ２１）。この位置登録要求信号を受信したＳＧＳＮ３０は、ＨＬＲ１０に対して、携帯端末ＭＳを認証するのに用いられる認証情報を取得するための認証情報取得信号を送信する（Ｓｅｎｄ  Ａｕｔｈｅｎｔｉｃａｔｉｏｎ  Ｉｎｆｏ。ステップＳ２２）。
【００３９】
この認証情報取得信号を受信したＨＬＲ１０は、ＰＳ−ＮＷ通信用の加入者プロファイル情報が記憶されていることを確認する処理を行う（ステップＳ２３）と、ＳＧＳＮ３０に対して、認証情報取得信号の受信応答を示すための認証情報応答信号を送信する（Ｓｅｎｄ  Ａｕｔｈｅｎｔｉｃａｔｉｏｎ  Ｉｎｆｏ．ａｃｋ。ステップＳ２４）。この認証情報応答信号を受信したＳＧＳＮ３０は、携帯端末ＭＳ及びＭＳＣ４０とともに、認証処理を完了させるための認証・秘匿処理を行う（ステップＳ２５）。
【００４０】
この認証・秘匿処理を行ったＳＧＳＮ３０は、ＨＬＲ１０に対して、加入者のＰＳ−ＮＷ通信用の位置登録情報の更新を行うためのＰＳ在圏情報を送信する（ＵｐｄａｔｅＧｐｒｓＬｏｃａｔｉｏｎ。ステップＳ２６）。このＰＳ在圏情報を受信したＨＬＲ１０は、国内ＮＷ内のＳＧＳＮである自網ＳＧＳＮ５０に対して、旧在圏の（即ち、過去に用いられていた）加入者プロファイル情報を削除するための削除信号を送信する（ＣａｎｃｅｌＬｏｃａｔｉｏｎ。ステップＳ２７）。この削除信号を受信した自網ＳＧＳＮ５０は、ＨＬＲ１０に対して、削除信号の受信応答を示すための削除応答信号を送信する（ＣａｎｃｅｌＬｏｃａｔｉｏｎ．ａｃｋ。ステップＳ２８）。
【００４１】
この削除応答信号を受信したＨＬＲ１０は、ＳＧＳＮ３０に対して、ＰＳ−ＮＷ通信用の加入者プロファイル情報をダウンロード受信させるためのダウンロード信号を送信する（ＩｎｓｅｒｔＳｕｂｓｃｒｉｂｅｒＤａｔａ。ステップＳ２９）。このダウンロード信号を受信したＳＧＳＮ３０は、ダウンロード受信後、ＨＬＲ１０に対して、ダウンロード信号の受信応答を示すためのダウンロード応答信号を送信する（ＩｎｓｅｒｔＳｕｂｓｃｒｉｂｅｒＤａｔａ．ａｃｋ。ステップＳ３０）。このダウンロード応答信号を受信したＨＬＲ１０は、ＳＧＳＮ３０に対して、ＰＳ在圏情報の受信応答を示すための位置更新応答信号を送信する（ＵｐｄａｔｅＧｐｒｓＬｏｃａｔｉｏｎ．ａｃｋ。ステップＳ３１）。
【００４２】
このＰＳ在圏情報を受信したＳＧＳＮ３０は、携帯端末ＭＳに対して、ＰＳ−ＮＷ通信用の位置登録を許可するための位置登録許可信号を送信する（Ａｔｔａｃｈ  Ａｃｃｅｐｔ。ステップＳ３２）。この位置登録許可信号を携帯端末ＭＳが受信することによって、ＰＳ位置登録処理Ｇ２が完了する。
【００４３】
ここで、上記のＳ０３において行われる加入者プロファイル情報の書き換えの有無を決定する処理について、図６を用いて説明する。まず、ＣＳ−ＮＷ通信用の位置登録処理に必要な準備が開始され（ステップＳ４１）、携帯端末ＭＳがパケット専用通信に対応しているか否かが判定部１１によって判定される（ステップＳ４２）。携帯端末ＭＳがパケット専用通信に対応していない場合、即ち、パケット専用プランが契約済みでない場合、加入者プロファイル情報の書き換えが無いことが決定される（ステップＳ５０）。
【００４４】
一方、携帯端末ＭＳがパケット専用通信に対応している場合、即ち、パケット専用プランが契約済みである場合、海外ＮＷからの位置登録要求があったか否か（即ち、携帯端末ＭＳが、国内ＮＷから海外ＮＷにローミングアウトする際にＭＳＣ４０に対して位置登録要求信号を送信したことによって、ＭＳＣ４０が、ＨＬＲ１０に対して認証情報取得信号を送信したか否か）が判定部１１によって判定される（ステップＳ４３、判定ステップ）。海外ＮＷからの位置登録要求が無かった場合、即ち、国内ＮＷからの位置登録要求があった場合、後述のステップＳ４７に移行する。
【００４５】
一方、海外ＮＷからの位置登録要求があった場合、加入者プロファイル情報の設定はＰＳ−ＮＷ通信用のみであるか否かが、判定部１１によって判定される（ステップＳ４４）。加入者プロファイル情報の設定がＰＳ−ＮＷ通信用のみであった場合、加入者プロファイル情報の書き換えがあること（ＰＳ−ＮＷ通信用のみから、ＣＳ−ＮＷ通信用及びＰＳ−ＮＷ通信用への書き換え）が決定される（ステップＳ４５）。
【００４６】
一方、加入者プロファイル情報の設定がＰＳ−ＮＷ通信用のみで無かった場合、即ち、加入者プロファイル情報の設定がＣＳ−ＮＷ通信用及びＰＳ−ＮＷ通信用であった場合、加入者プロファイル情報の書き換えが無いこと（ＣＳ−ＮＷ通信用及びＰＳ−ＮＷ通信用のまま）が決定される（ステップＳ４６）。
【００４７】
ステップＳ４７では、加入者プロファイル情報の設定はＰＳ−ＮＷ通信用のみであるか否かが、判定部１１によって判定される。加入者プロファイル情報の設定がＰＳ−ＮＷ通信用のみであった場合、加入者プロファイル情報の書き換えが無いこと（ＰＳ−ＮＷ通信用のまま）が決定される（ステップＳ４８）。一方、加入者プロファイル情報の設定がＰＳ−ＮＷ通信用のみで無かった場合、即ち、加入者プロファイル情報の設定がＣＳ−ＮＷ通信用及びＰＳ−ＮＷ通信用であった場合、加入者プロファイル情報の書き換えがあること（ＣＳ−ＮＷ通信用及びＰＳ−ＮＷ通信用から、ＰＳ−ＮＷ通信用のみへの書き換え）が決定される（ステップＳ４９）。
【００４８】
（３−２）ＳＭＳ着信処理
次に、図７を用いて、位置登録処理の後に行われるＳＭＳ着信処理について説明する。図７に示すように、まず自網ＳＧＳＮ５０が、ＧＭＳＣ２０に対して、携帯端末ＭＳに対するＳＭＳの着信（即ち、転送）を要求するＳＭＳ着信要求信号を送信する（ステップＳ５１）。このＳＭＳ着信要求信号を受信したＧＭＳＣ２０は、ＨＬＲ１０に対して、ショートメッセージをルーチングするのに必要な着信翻訳情報（ＭＳＣ番号やＳＧＳＮ番号等）を要求するためのルーチング情報を送信する（Ｓｅｎｄ  Ｒｏｕｔｉｎｇ  Ｉｎｆｏ  Ｆｏｒ  ＳＭ。ステップＳ５２）。
【００４９】
このルーチング情報を受信したＨＬＲ１０は、ＧＭＳＣ２０に対して、ルーチング情報の受信応答を示すためのルーチング応答情報を送信する（Ｓｅｎｄ  Ｒｏｕｔｉｎｇ  Ｉｎｆｏ  Ｆｏｒ  ＳＭ．ａｃｋ。ステップＳ５３）。このルーチング応答情報を受信したＧＭＳＣ２０は、ＣＳ−ＮＷ通信も可能なように書き換えられた加入者プロファイル情報が記憶されていることを確認する処理を行う（ステップＳ５４）と、ＭＳＣ４０に対して、ＳＭＳ受信を許可するための受信許可信号を送信する（ＭＴ  ｆｏｒｗａｒｄ  ＳＭ。ステップＳ５５）。
【００５０】
この受信許可信号を受信したＭＳＣ４０は、携帯端末ＭＳとともに、ＳＭＳ着信処理を行う（ステップＳ５６）ことにより、携帯端末ＭＳはショートメッセージを受信する。ＳＭＳ着信処理を行ったＭＳＣ４０は、ＧＭＳＣ２０に対して、受信許可信号の受信応答を示すための受信許可応答信号を送信する（ＭＴ  ｆｏｒｗａｒｄ  ＳＭ．ａｃｋ。ステップＳ５７）。この受信許可応答信号を受信したＧＭＳＣ２０は、自網ＳＧＳＮ５０に対して、ＳＭＳ着信要求信号の受信応答を示すためのＳＭＳ着信要求応答信号を送信する（ステップＳ５８）。
【００５１】
（４）本実施形態による作用効果
本実施形態によれば、パケット専用通信の契約及び設定が完了した携帯端末ＭＳが在圏する移動体通信網が、国内ＮＷから海外ＮＷに変更された（即ち、携帯端末ＭＳがローミングアウトして海外在圏した）と判定された場合に、ＣＳ−ＮＷ通信も可能なように書き換えられた加入者プロファイル情報がＭＳＣ４０にダウンロード受信される。この加入者プロファイル情報を受信したＭＳＣ４０は、海外ＮＷにおいてショートメッセージを携帯端末ＭＳに中継して受信させる。この結果、パケット専用通信に対応した携帯端末ＭＳが海外ＮＷにローミングアウトすることによって、携帯端末ＭＳが在圏する移動体通信網が国内ＮＷから海外ＮＷに変更されたと判定された場合でも、携帯端末ＭＳは継続してショートメッセージを受信することが可能となる。即ち、本実施形態によれば、ＳＭＳ機能が改善される。
【００５２】
また、携帯端末ＭＳが海外ＮＷにローミングアウトする際に、図６のステップＳ４８に示すように、加入者プロファイル情報の設定がＰＳ−ＮＷ通信用のみであった場合、加入者プロファイル情報の書き換えを行わない。これにより、ＣＳ−ＮＷ通信用及びＰＳ−ＮＷ通信用への書き換えを行うことを原因としてＣＳ−ＮＷ通信用の位置登録も行われて無駄なネットワークリソースが消費されてしまうことを、防ぐことが可能となる。
【００５３】
（５）変形例
以上、本発明の好適な実施形態について説明したが、本発明は上記実施形態に限定されるものではない。例えば、上記の実施形態では、ＨＬＲ１０がショートメッセージ制御装置としての機能を有しているが、例えばＨＬＲ１０及びＧＭＳＣ２０の集合体がショートメッセージ制御装置としての機能を有していてもよい。
【図面の簡単な説明】
【００５４】
【図１】移動機がＳＭＳ受信を行うことができなくなる場合の具体例を説明する図である。
【図２】ショートメッセージ制御システムによって行われるショートメッセージの送信制御の流れを説明するための説明図である。
【図３】ＨＬＲの機能構成を示す構成図である。
【図４】ＨＬＲのハードウェア構成を示す構成図である。
【図５】位置登録処理を説明するシーケンス図である。
【図６】位置登録処理における加入者プロファイル情報の書き換えの有無を決定する処理を説明するフローチャートである。
【図７】ＳＭＳ着信処理を説明するシーケンス図である。
【符号の説明】
【００５５】
１０…ＨＬＲ、１１…判定部、１２…送信部、２０…ＧＭＳＣ、３０…ＳＧＳＮ、４０…ＭＳＣ、５０…自網ＳＧＳＮ、１００…ショートメッセージ制御システム、１０１…ＣＰＵ、１０２…ＲＡＭ、１０３…ＲＯＭ、１０４…通信モジュール、１０５…補助記憶装置、Ｇ１…位置登録処理、Ｇ２…位置登録処理、Ｍ…移動機、ＭＳ…携帯端末、Ｐ１〜Ｐ４，Ｐ１０〜Ｐ１２，Ｐ２０，Ｐ３０，Ｐ４０…段階。
【図１】
2010154033.tif 000003
【図２】
2010154033.tif 000004
【図３】
2010154033.tif 000005
【図４】
2010154033.tif 000006
【図５】
2010154033.tif 000007
【図６】
2010154033.tif 000008
【図７】
2010154033.tif 000009